(57)【要約】【課題】建物や構造物等の設計図上に管状部材や線状部材等を配置する際の作業効率を向上させる。【解決手段】設計支援プログラムは、設計図の平面図を表示した状態で、ユーザにより指定された該平面図上の平面座標位置と奥行値（高さ方向の位置を示す値）とに基づき、ダクトや配管等の管状部材やケーブル等の線状部材の経路を設定する。また、設計支援プログラムは、奥行値を表示した状態で経路を設定すると共に（Ｓ２３５）、ホイールマウスに設けられたホイールの操作に応じて奥行値を変更する（Ｓ２００〜Ｓ２３５）。【選択図】図２
2016081176.tif 000002
【特許請求の範囲】
【請求項１】
建設される対象物を、上方、下方、及び、側方のうちのいずれかから見た設計図である二次元図を表示する二次元図表示手段と、
前記二次元図上の直交する２つの方向をＡ方向及びＢ方向とし、前記Ａ方向と前記Ｂ方向とに対応する座標位置を二次元座標位置とすると共に、前記Ａ方向及び前記Ｂ方向に直交する奥行方向の座標位置を奥行値とし、ユーザにより指定された前記二次元座標位置及び前記奥行値に基づき、管状部材または線状部材の経路を設定する経路設定手段と、
前記二次元図上で前記二次元座標位置を指定するポインタを動かす操作を行うためのポインティングデバイスに設けられており、第１方向に向かう操作と、前記第１方向とは異なる第２方向に向かう操作とを受け付ける操作部への操作に応じて、前記奥行値を変更する変更手段と、
前記奥行値を表示する奥行値表示手段として、
コンピュータを動作させることを特徴とする設計支援プログラム。
【請求項２】
請求項１に記載の設計支援プログラムにおいて、
前記二次元図にはオブジェクトが配されており、前記オブジェクトの配置領域の前記奥行方向の範囲に含まれる１または複数の値を、該オブジェクトの対応値とし、
前記対応値が前記奥行値と同一である前記オブジェクトを強調表示する強調表示手段をさらに備えること、
を特徴とする設計支援プログラム。
【請求項３】
請求項２に記載の設計支援プログラムにおいて、
前記経路設定手段は、前記強調表示がなされている前記オブジェクトに基づき前記経路を設定すること、
を特徴とする設計支援プログラム。
【請求項４】
請求項１から請求項３のうちのいずれか１項に記載の設計支援プログラムにおいて、
前記変更手段は、前記操作部への操作に応じて、前記奥行値に対し予め定められた更新値を加算または減算することで、前記奥行値を変更すること、
を特徴とする設計支援プログラム。
【請求項５】
請求項１から請求項４のうちのいずれか１項に記載の設計支援プログラムにおいて、
前記変更手段は、前記操作部への操作に応じて、予め定められた複数の設定値のうちのいずれかを新たに選択し、選択されている前記設定値を前記奥行値とすることで、前記奥行値を変更すること、
を特徴とする設計支援プログラム。
【請求項６】
請求項１から請求項５のうちのいずれか１項に記載の設計支援プログラムにおいて、
前記二次元図にはオブジェクトが配されており、前記オブジェクトの配置領域の前記奥行方向の範囲に含まれる１または複数の値を、該オブジェクトの対応値とし、
前記二次元図において、前記ポインタの位置に基づき定められる領域を、ポインタ領域とし、
前記変更手段は、前記操作部への操作に応じて、前記ポインタ領域に配されているいずれかの前記オブジェクトの前記対応値を新たに選択し、選択されている前記対応値を前記奥行値とすることで、前記奥行値を変更すること、
を特徴とする設計支援プログラム。
【請求項７】
建設される対象物を、上方、下方、及び、側方のうちのいずれかから見た設計図である二次元図を表示する二次元図表示手段と、
前記二次元図上の直交する２つの方向をＡ方向及びＢ方向とし、前記Ａ方向と前記Ｂ方向とに対応する座標位置を二次元座標位置とすると共に、前記Ａ方向及び前記Ｂ方向に直交する奥行方向の座標位置を奥行値とし、ユーザにより指定された前記二次元座標位置及び前記奥行値に基づき、管状部材または線状部材の経路を設定する経路設定手段と、
前記二次元図上で前記二次元座標位置を指定するポインタを動かす操作を行うためのポインティングデバイスに設けられており、第１方向に向かう操作と、前記第１方向とは異なる第２方向に向かう操作とを受け付ける操作部への操作に応じて、前記奥行値を変更する変更手段と、
前記奥行値を表示する奥行値表示手段と、
を備えることを特徴とする設計支援装置。
【発明の詳細な説明】
【技術分野】
【０００１】
本発明は、設計支援プログラム等に関する。
【背景技術】
【０００２】
マウスホイールの操作に応じて、ディスプレイ上に立体的に表示された対象物を高さ方向（ｚ軸方向）に移動させるＰＣのアプリケーションが知られている（例えば、特許文献１）。このような操作方法を、建物や構造物等を建設するための立体的な設計図上に、ダクトや配管等の管状部材やケーブル等の線状部材を配置するＣＡＤシステムに適用することが考えられる。
【先行技術文献】
【特許文献】
【０００３】
【特許文献１】特開平１０−３０１７１２号公報
【発明の概要】
【発明が解決しようとする課題】
【０００４】
しかしながら、管状部材等を配置する際に、単にマウスホイールの操作に応じて高さ方向の値を変えたとしても、必ず作業効率が向上するとは限らない。
本願発明は、建物や構造物等の設計図上に管状部材や線状部材等を配置する際の作業効率を向上させることを目的とする。
【課題を解決するための手段】
【０００５】
本願請求項１に係る発明は、建設される対象物を、上方、下方、及び、側方のうちのいずれかから見た設計図である二次元図を表示する二次元図表示手段と、二次元図上の直交する２つの方向をＡ方向及びＢ方向とし、Ａ方向とＢ方向とに対応する座標位置を二次元座標位置とすると共に、Ａ方向及びＢ方向に直交する奥行方向の座標位置を奥行値とし、ユーザにより指定された二次元座標位置及び奥行値に基づき、管状部材または線状部材の経路を設定する経路設定手段と、二次元図上で二次元座標位置を指定するポインタを動かす操作を行うためのポインティングデバイスに設けられており、第１方向に向かう操作と、第１方向とは異なる第２方向に向かう操作とを受け付ける操作部への操作に応じて、奥行値を変更する変更手段と、奥行値を表示する奥行値表示手段として、コンピュータを動作させることを特徴とする設計支援プログラムに関する。
【０００６】
このような構成によれば、奥行値（設計図の高さ方向の値）と対象物の設計図の平面図が表示され、該平面図上で管状部材等の経路の設定が受け付けられると共に、ポインティングデバイス等に設けられた操作部に対する操作に応じて奥行値が更新される。
【０００７】
このため、キーボードで奥行値を直接入力したり、側面図等を表示させて高さ方向の位置を指定したりしなくても、容易に経路の高さ方向の位置等を調整できるため、操作手順が減り、操作性が向上する。また、平面図のみに注目して経路を設定することができ、経路の高さを調整する度に側面図等に注目し、思考が中断してしまうといったことが無くなる。したがって、建物や構造物等の設計図上に管状部材や線状部材等を配置する際の作業効率が向上する。
【０００８】
また、請求項２に記載されているように、二次元図にはオブジェクトが配されており、オブジェクトの配置領域の奥行方向の範囲に含まれる１または複数の値を、該オブジェクトの対応値とし、対応値が奥行値と同一であるオブジェクトを強調表示する強調表示手段をさらに備えていても良い。
【０００９】
こうすることにより、現在の奥行値がどの程度であるかを、より直感的に把握することができる。また、設定している管状部材等の経路と、他の管状部材等との干渉の状況を容易且つ正確に把握することができ、干渉を回避しながら経路を設定することができる。
【００１０】
また、請求項３に記載されているように、経路設定手段は、強調表示がなされているオブジェクトに基づき経路を設定しても良い。
こうすることにより、例えば、奥行値が一致しているオブジェクトと繋がるように管状部材等の経路を設定すること等が可能となり、管状部材等の経路を容易に設定することができる。
【００１１】
また、請求項４に記載されているように、変更手段は、操作部への操作に応じて、奥行値に対し予め定められた更新値を加算または減算することで、奥行値を変更しても良い。
こうすることにより、奥行値の調整が容易になる。
【００１２】
また、請求項５に記載されているように、変更手段は、操作部への操作に応じて、予め定められた複数の設定値のうちのいずれかを新たに選択し、選択されている設定値を奥行値とすることで、奥行値を変更しても良い。
【００１３】
こうすることにより、迅速且つ容易に奥行値を適切な値に設定することができる。
また、請求項６に記載されているように、二次元図にはオブジェクトが配されており、オブジェクトの配置領域の奥行方向の範囲に含まれる１または複数の値を、該オブジェクトの対応値とし、二次元図において、ポインタの位置に基づき定められる領域を、ポインタ領域とし、変更手段は、操作部への操作に応じて、ポインタ領域に配されているいずれかのオブジェクトの対応値を新たに選択し、選択されている対応値を奥行値とすることで、前記奥行値を変更しても良い。
【００１４】
こうすることにより、迅速且つ容易に、奥行値を、ポインタ領域内におけるオブジェクトが配置された高さに応じた値とすることができ、管状部材等とオブジェクトを繋いだりする作業等を容易に行うことができる。
【００１５】
また、請求項１に係る設計支援プログラムにより動作するコンピュータに相当する設計支援装置を構成しても良い。こうすることにより、同様の効果を得ることができる。
【図面の簡単な説明】
【００１６】
【図１】ＰＣのブロック図と、設計図の平面図の表示画面の説明図である。
【図２】奥行値更新処理のフローチャートである。
【発明を実施するための形態】
【００１７】
以下、本発明の実施形態について図面を用いて説明する。なお、本発明の実施の形態は、下記の実施形態に何ら限定されることはなく、本発明の技術的範囲に属する限り種々の形態を採りうる。
【００１８】
［構成の説明］
図１（ａ）は、本実施形態における設計支援装置として作動する周知のＰＣ１の構成を示している。ＰＣ１は、ディスプレイ１０，ＨＤＤ２０，ＣＰＵ３０，ＲＯＭ４０，ＲＡＭ５０や、キーボード６０，ホイールマウス７０等の入力装置を備える。
【００１９】
ディスプレイ１０は、映像信号に基づき、ＣＰＵ３０等にて生成された映像を表示する。ホイールマウス７０は、前方に回す操作（前方操作）と後方に回す操作（後方操作）のいずれかが可能な円盤状のホイールが設けられたマウスである。キーボード６０，ホイールマウス７０は、ユーザから受け付けた操作に応じた信号をＣＰＵ３０に出力する。
【００２０】
ＲＯＭ４０は読み出し専用の不揮発性メモリであり、ＨＤＤ２０は読み出し，書き込み可能な不揮発性メモリである。ＲＯＭ４０，ＨＤＤ２０には、ＣＰＵ３０が読み出して実行するプログラム等が予め記憶されている。ＲＡＭ５０は、読み出し，書き込み可能な揮発性メモリであり、ＣＰＵ３０がＲＯＭ４０，ＨＤＤ２０に記憶されたプログラムを実行する際に、そのプログラムを一時的に保存したり、作業用のデータを一時的に保存したりするための記憶領域として用いられる。
【００２１】
ＣＰＵ３０は、ＯＳをＨＤＤ２０から読み出して実行し、ＨＤＤ２０に記録されている各種プログラムをＯＳ上のプロセスとして実行する。このプロセスにおいて、ＣＰＵ３０は入力装置から信号の入力を受け付け、ディスプレイ１０に表示する映像を生成し、ＲＡＭ５０，ＨＤＤ２０に対してデータの読み出し，書き込みの制御を行う。
【００２２】
ＰＣ１には、本実施形態の設計支援プログラムがインストールされている。設計支援プログラムは、ＨＤＤ２０に保存されており、ＯＳ上のプロセスとして実行されるアプリケーションの１つであり、設計支援プログラムを動作させることで、ＰＣ１は、設計支援装置として稼働する。
【００２３】
［動作の説明］
次に、設計支援プログラムの動作について説明する。以下の説明では、設計支援プログラムが処理を行うといった記載がなされているが、これは、設計支援プログラムに従い動作するＰＣ１のＣＰＵ３０が処理を行うということを意味するのは、言うまでも無い。
【００２４】
設計支援プログラムは、例えば、ビル，家屋等の建築物や、橋，タワー等の構造物を建設するための設計図を生成するＣＡＤシステムとして構成されている。設計支援プログラムは、キーボード６０，ホイールマウス７０を介してユーザから受け付けた操作に応じて設計図を生成する。設計図は立体画像となっており、設計図上の各位置は、水平面上の位置を示すｘｙ座標と、高さ方向の位置を示すｚ座標とにより表される。
【００２５】
また、設計支援プログラムは、ユーザの操作に応じて、設計図上にオブジェクト（管状部材（各種のダクトや配管等）や線状部材（各種ケーブル等）や各種装置等）を配置する処理を行うが、管状部材や線状部材を配置する際には、ホイールマウス７０の操作によりその経路が設定される。設計支援プログラムは、設計図の平面図（設計対象を上方から見た図）を表示した状態で（二次元図表示手段の一例に相当）、該平面図を介して経路の設定を受け付ける。具体的には、ホイールマウス７０を前後左右に移動させる操作により平面図上のｘｙ平面上の位置の指定を受け付けると共に、ホイールの操作によりｚ軸方向の位置（奥行値）の指定を受け付け、指定された位置に基づき経路の設定を行う。
【００２６】
図１（ｂ）の画面１００は、一例として、ダクト１１０の経路を設定する際に表示される上記平面図を示している。画面１００では、経路を設定するダクト１１０と、配置済のダクト１２０，１３０に、“500×500”，“FL+3000”等という傍記が表示されている。“500×500”は、ダクトの形状，サイズ（ダクトの断面が縦500mm，横500mmの正方形であること）を示し、“FL+3000”は、ダクトの高さ（ダクトが、当該ダクトが配されるフロアの床面から3000mm上方に位置すること）を示している。
【００２７】
また、画面１００には、現状の奥行値を表示する奥行値表示領域１４０が設けられており、奥行値表示領域１４０は、床面を基準とする奥行値（図中、FLと記載）が2500mmであることを示している。画面１００では、ホイールマウス７０を移動させる操作に応じてカーソル１５０が移動し、カーソル１５０のｘｙ座標に基づき、現状の奥行値の高さに配されるダクト１１０の経路が定められる。なお、カーソル１５０の枠の形状，大きさは、ユーザにより設定可能となっている。また、詳細は後述するが、ダクト１２０は、高さ（FL+2500）が奥行値と一致するため、強調表示されている。
【００２８】
ホイールの操作による奥行値の設定方法として、第１〜第３方法が設けられている。
第１方法は、ホイールの操作に応じて、奥行値を予め定められた間隔で増減させるという方法である。具体的には、前方操作がなされた場合、現状の奥行値に前方操作の回数にわたりピッチ（予め定められた値）を加算した値を新たな奥行値とし、後方操作がなされた場合、現状の奥行値から後方操作の回数にわたりピッチを減算した値を新たな奥行値とする。なお、ピッチは、ユーザにより設定可能な値であっても良い。
【００２９】
第２方法は、ホイールの操作に応じて、予め設定されている複数の設定値の中から奥行値を選択する方法である。これらの設定値は、配置を行っている管状部材等が配される標準的な高さとして予め設定されたものであっても良く、また、この標準的な高さとしての設定値は、管状部材等の種類毎に設けられていても良い。また、これらの設定値は、ユーザが設定したものであっても良い。そして、現状の奥行値と設定値を小さいものから順番に並べた場合に、現状の奥行値の次に大きい設定値を増加更新値とすると共に、現状の奥行値に次に小さい設定値を減少更新値とする。前方操作がなされた場合、奥行値を増加更新値とし、後方操作がなされた場合、奥行値を減少更新値とする。
【００３０】
第３方法は、ホイールの操作に応じて、カーソルの枠内に存在するオブジェクトの対応値を選択する方法である。対応値とは、オブジェクトの配置領域に含まれるｚ軸方向の位置を示す１又は複数の値である。具体的には、例えば、枠内に管状部材等に接続される装置が存在する場合には、管状部材等に繋がる接続口が位置する高さを対応値としても良い。また、枠内に管状部材等が配置されている場合には、該管状部材等が配置されている高さを対応値としても良い。そして、現状の奥行値と対応値を小さいものから順番に並べた場合に、現状の奥行値の次に大きい対応値を増加更新値とすると共に、現状の奥行値に次に小さい対応値を減少更新値とする。前方操作がなされた場合、奥行値を増加更新値とし、後方操作がなされた場合、奥行値を減少更新値とする。
【００３１】
設計支援プログラムでは、第１，第２方法のいずれがユーザにより選択される。そして、カーソルの枠内にオブジェクトが存在する場合、第３方法により奥行値が更新され、そうでない場合、第１，第２方法のうち、選択されている方法により奥行値が更新される。
【００３２】
以下では、オブジェクトを配置する処理等が行われている際に、ホイールマウス７０のホイールの操作に応じて奥行値を設定する奥行値更新処理について、図２のフローチャートにより説明する。本処理は、設計支援プログラムにより繰り返し実行される。
【００３３】
Ｓ２００では、ホイールマウス７０のホイールの操作が受け付けられ、Ｓ２０５では、１回の前方操作と１回の後方操作が行われた各場合において、第１，第２方法のうちの選択されている方法により新たに奥行値になる値が候補値として特定される。続くＳ２１０では、設計図の平面図上に表示されたカーソルの枠内にオブジェクトが存在するか否かが判定され、肯定判定の場合にはＳ２１５に、否定判定の場合にはＳ２２０に移行する。
【００３４】
Ｓ２１５では、１回の前方操作と１回の後方操作が行われた各場合において、第３方法により新たに奥行値となる値が特定され、これらの値が、先に特定された候補値に替わる新たな候補値となる。
【００３５】
Ｓ２２０では、ホイールに対し前方操作と後方操作のどちらがなされたか判定される。そして、前方操作がなされた場合は（Ｓ２２５）、現状の奥行値の次に大きい候補値が選択され、後方操作がなされた場合は（Ｓ２３０）、現状の奥行値の次に小さい候補値が選択される。
【００３６】
Ｓ２３５では、選択された候補値が新たな奥行値として設定され、これに応じて奥行値表示領域に表示されている奥行値が更新される。Ｓ２４０では、対応値が奥行値と一致するオブジェクトが強調表示され、他のオブジェクトは通常の表示状態にされる。なお、管状部材等の経路を設定している際に、カーソルの枠内に、経路を設定している管状部材等に接続可能であり、高さ方向に延びる管状部材等や、傾きを有している管状部材等が存在したとする。このとき、奥行値が、カーソル枠内の管状部材等の配置領域のｚ軸上の範囲に含まれていれば、該管状部材等を強調表示しても良い。また、カーソルの枠内か否かに関わらず、平面図上にこのような管状部材等が存在する場合には、奥行値が、該管状部材等の配置領域のｚ軸上の範囲に含まれていれば、該管状部材等を強調表示しても良い。
【００３７】
Ｓ２４５では、カーソルにより指定されるｘｙ平面上の位置と、ホイールにより指定される奥行値の入力が確定されたか否か判定される。具体的には、例えば、ホイールマウス７０のクリックがなされた際に、入力が確定したとみなしても良い。そして、肯定判定の場合にはＳ２５０に、否定判定の場合にはＳ２００に移行する。
【００３８】
Ｓ２５０では、確定した入力に基づき設計図上の位置を特定するか、オブジェクトを特定するかが決定される。該決定は、配置しているオブジェクトや、オブジェクトを配置する処理の進行状況等に基づきなされても良い。具体的には、例えば、管状部材等の経路を設定している場合において、該入力に基づき経路を設定している管状部材等に接続可能であり、カーソルの枠内に位置するオブジェクトが強調表示されている場合には、オブジェクトを特定することを決定しても良い。また、これ以外の場合には、位置を特定することを決定しても良い。そして、位置の特定を決定した場合にはＳ２５５に、オブジェクトの特定を決定した場合にはＳ２６０に移行する。
【００３９】
Ｓ２５５では、カーソルの位置と奥行値とにより特定される設計図上の位置（ｘｙｚ座標により特定される位置）を入力値として処理が行われ、その後、本処理は終了する。具体的には、例えば、特定された位置に装置を配置する処理を行っても良い。また、今回特定された位置と先に設定された位置とを繋ぐ経路を、管状部材等の経路として設定する処理を行っても良い。なお、このような処理により、ホイールマウス７０により設計図上の位置を指定した後、ホイールマウス７０の位置を固定したままホイールを操作することで、高さ方向に延びる管状部材等の経路を設定することができる。
【００４０】
一方、Ｓ２６０では、カーソルの枠内に強調表示されているオブジェクトがあるか判定され、肯定判定の場合にはＳ２６５に移行し、否定判定の場合には本処理は終了する。
Ｓ２６５では、カーソルの枠内に位置し、強調表示されているオブジェクトが選択されると共に、選択されたオブジェクトに関する処理が行われ、その後、本処理は終了する。具体的には、例えば、管状部材等の経路を設定している場合において、選択されたオブジェクトが該管状部材等に接続可能な他の管状部材等である場合は、これらが繋がるように経路を設定しても良い。また、例えば、管状部材等の経路を設定している場合において、選択されたオブジェクトの接続口（経路を設定している管状部材等と接続可能な接続口）の高さが現状の奥行値と一致する装置である場合には、該装置の接続口に繋がるように経路を設定しても良い。
【００４１】
［効果］
本実施形態の設計支援プログラムによれば、奥行値（設計図の高さ方向の値）と建築物や構造物等の設計図の平面図が表示され、該平面図上で管状部材や線状部材等の経路の設定が受け付けられると共に、ホイールマウス７０に設けられたホイールに対する操作に応じて奥行値が更新される。
【００４２】
このため、キーボード６０で奥行値を直接入力したり、側面図等を表示させて高さ方向の位置を指定したりしなくても、容易に経路の高さ方向の位置等を調整できるため、操作手順が減り、操作性が向上する。また、平面図のみに注目して経路を設定することができ、経路の高さを調整する度に側面図等に注目し、思考が中断してしまうといったことが無くなる。したがって、建物や構造物等の設計図上に管状部材や線状部材等を配置する際の作業効率が向上する。
【００４３】
［他の実施形態］
（１）本実施形態の設計支援プログラムでは、ホイールマウス７０に設けられた円盤状のホイールの操作により、奥行値が設定される。しかしながら、これに限らず、２方向に操作可能なレバー等の操作部への操作に応じて、奥行値を設定する構成としても良い。このような場合であっても、同様の構成を得ることができる。
【００４４】
（２）本実施形態の設計支援プログラムでは、対応値が奥行値と一致するオブジェクトが強調表示されたり、カーソル枠内に位置し、強調表示されているオブジェクトに基づき管状部材等の経路が設定されたりする。しかしながら、例えば、ホイールマウス７０の操作等により領域の設定を受け付けた状態で、ホイールの操作に応じて奥行値が変更された場合等には、該領域に配されたオブジェクトのうち、対応値が奥行値と一致するものを強調表示したり、強調表示したオブジェクトに基づき管状部材等の経路を設定しても良い。こうすることにより、設計支援プログラムの使い勝手を向上することができる。
【００４５】
（３）本実施形態では、設計対象を上方から見た平面図を表示した状態で、該平面図を介して管状部材等の経路の設定を受け付ける場合を例示した。しかしながら、これに限らず、設計対象を側方から見た側面図、又は、設計対象を下方から見た下面図を表示した状態で、該側面図又は下面図を介して管状部材等の経路の設定を受け付けても良い。具体的には、平面図上で経路の設定を行う場合と同様にして、ホイールマウス７０を前後左右に移動させる操作により側面図等における座標位置の指定を受け付けると共に、ホイールの操作により、側面図等に直交する奥行方向（本実施形態の高さ方向に相当する方向）の位置（奥行値）の指定を受け付け、指定された位置に基づき経路の設定を行っても良い。このような場合であっても、同様の効果を得ることができる。
【００４６】
（４）本実施形態における１つの構成要素が有する機能を複数の構成要素として分散させたり、複数の構成要素が有する機能を１つの構成要素に統合させたりしても良い。また、本実施形態の構成の少なくとも一部を、同様の機能を有する公知の構成に置き換えてもよい。また、本実施形態の構成の一部を省略してもよい。また、本実施形態の構成の少なくとも一部を、他の本実施形態の構成に対して付加又は置換してもよい。なお、特許請求の範囲に記載した文言のみによって特定される技術思想に含まれるあらゆる態様が本発明の実施形態である。
【００４７】
（５）上述した設計支援プログラムや設計支援装置の他、この設計支援プログラムを記録した媒体や、奥行値更新処理に相当する方法など、種々の形態で本発明を実現することもできる。
【００４８】
［特許請求の範囲との対応］
上記実施形態の説明で用いた用語と、特許請求の範囲の記載に用いた用語との対応を示す。
【００４９】
本実施形態の奥行値更新処理のＳ２０５〜Ｓ２３５が変更手段の一例に、Ｓ２３５が奥行値表示手段の一例に、Ｓ２４０が強調表示手段の一例に、Ｓ２５５，Ｓ２６５が経路設定手段の一例に相当する。
【符号の説明】
【００５０】
１…ＰＣ、１０…ディスプレイ、２０…ＨＤＤ、３０…ＣＰＵ、４０…ＲＯＭ、５０…ＲＡＭ、６０…キーボード、７０…ホイールマウス。
【図１】
2016081176.tif 000003
【図２】
2016081176.tif 000004